【事件の表示】
　平成　１年特許願第　６９２８５号「画像形成装置の定着装置」拒絶査定に対する審判事件[平成２年１０月４日出願公開、特開平２−２４８９７６］について、次のとおり審決する。
【結　論】
　本件審判の請求は、成り立たない。
【理　由】
１．出願の経緯・本願発明
　本願は平成１年３月２３日の出願であって、その請求項１〜２に係る発明は、平成８年３月５日付け手続補正により補正された明細書及び図面の記載からみて、その特許請求の範囲の請求項１〜２に記載されたとおりのものと認められるところ、請求項１に係る発明（以下、「本願発明」という。）は次のとおりである。
「上下１対のガイド板を備える入口側案内部を介して像担持体を１対のローラ間に導き、このローラ対にて加圧と加熱の少くとも１つの手段を用いて像担持体の像を定着し、ついで上下１対のガイド板を備える出口側案内部を介して上記ローラ対から像担持体を排紙部又は下流ユニットへ導くようにした、静電複写プロセスを用いる画像形成装置の定着装置において、上記入口側案内部と出口側案内部との少くとも１つの案内部の上下ガイド板を樹脂材で１体成形したことを特徴とする定着装置。」
　なお、本願については、平成１０年４月２７日付け、及び、平成１０年８月２８日付けの手続補正がされたが、これらは平成１１年７月２２日付けの補正の却下の決定により却下され、この決定は確定している。
２．引用例
  これに対して、原査定の拒絶の理由に引用された実願昭６１−１７７６９４号（実開昭６３−８２２６８号）のマイクロフィルム（以下、「引用例１」という。）には、
「１対のローラー間に像担持材を挟持搬送させることにより、像担持材上に形成されたトナー像を加熱定着する定着装置に於いて、上記定着装置から排紙される像担持材を案内する案内手段と、案内手段をローラーから所望の近接距離に保って保持する保持手段を有し、該案内手段と保持手段とを、耐熱性及び断熱性を有する樹脂材料で一体成形したことを特徴とする定着装置。」（実用新案登録請求の範囲）、
「本考案は、電子写真装置、あるいは静電記録装置に用いられる定着装置に関するものである。」（第２頁第３行〜同頁第４行）、
「従来この種の定着装置は、第５図に示すように構成されていた。図中、１は定着ローラーで・・中略・・定着ローラー１の中にはハロゲンランプ等のヒーター２が入れられており、定着ローラーを加熱する働きをする。３は加圧ローラーで、・・中略・・定着ローラー１と加圧ローラー３とはバネ（図示せず）などによって加圧されている。・・中略・・９は定着装置の底板で、金属でできており、その一方には紙葉体１２を定着ローラー１と加圧ローラー３の間へ導くための入口ガイド８が取り付けられている。またもう一方には、排紙ガイド１０を取り付けてある。紙葉体１２上のトナー像１３は、この定着装置の定着ローラー１と加圧ローラー２の間（以下ニップと称する）で紙葉体１２が加圧加熱されて搬送されることで定着される。」（第２頁第６行〜第３頁第１６行）、
「第１図は本考案の実施例を示すもので、排紙ガイドとその保持部材とを樹脂材料で一体成形品１５にしたものである。」（第５頁第１４行〜同頁第１６行）、が図面と共に記載されており、
　さらに、図面第１〜３図には、紙葉体の下面側を案内する板状の排紙ガイドが図示され、また、図面第１，４，５図には、紙葉体１２を定着ローラー１と加圧ローラー３の間へ導くための入口ガイド８に対向して、その上方にガイドを設けた構成が図示されている。
　そして、静電式記録装置等の定着装置において、記録紙の搬送方向を案内する上下１対のガイド板を定着装置の記録紙入口側と出口側の各々に設けることは、例えば特開昭６０−２３８８７９号公報、特開昭６３−１５３５６６号公報にみられるように一般的な技術であって、
　引用例１の入口ガイド８及びその上方に対向して設けた上記ガイドは板状であり、上下１対の両ガイドにより紙葉体の入口側案内手段を構成すると共に、排紙ガイドは、定着ローラーと加圧ローラーの間から紙葉体を排紙部等へ導く排紙側案内手段を構成するものとして理解されるから、
　これらを総合すると、引用例１には、
「上下１対の板状のガイドを備える入口側案内手段により紙葉体を定着ローラーと加圧ローラーの間へ導き、この定着ローラーと加圧ローラーの間で紙葉体を加圧加熱して紙葉体上のトナー像を定着し、ついで、紙葉体の下面側を案内する板状の排紙ガイドを備える排紙側案内手段により紙葉体を定着ローラーと加圧ローラーの間から排紙部等へ導くようにした、電子写真装置、あるいは静電式記録装置に用いられる定着装置において、上記排紙側案内手段の排紙ガイドを保持部材と樹脂材料で一体成形した定着装置」、が記載されているものと認められる。
　同様に、原査定の拒絶の理由に引用された実願昭５９−１２８９３５号（実開昭６１−４２５５９号）のマイクロフィルム（以下、「引用例２」という。）には、
「本考案は、定着ローラから用紙を剥離するための複数個の剥離爪を備える複写機に係り、」（第２頁第９行〜同頁第１１行）、
「本考案は、・・中略・・その目的とするところは、上部及び下部ローラ用剥離爪をユニット化することによって剥離爪の交換を極めて容易にし、交換時間と手間を省くことである。また、他の目的は、剥離爪を支持するユニットホルダーを用紙搬送部として用いることができ、又定着ローラに対する剥離爪の当接位置が簡単に変更でき、作業性を著しく向上させることである。」（第３頁第１１行〜同頁第１９行）、
「第１図において、・・中略・・２，３はそれぞれ定着ローラ１から用紙を剥離するための上部ローラ用の剥離爪及び下部ローラ用の剥離爪である。これら上部及び下部ローラ用の剥離爪２，３はそれぞれ後述する略Ｖ字形のユニットホルダー４に回転可能に支持されている。」（第４頁第１６行〜同頁第２０行）、
「ユニットホルダー４には定着後の用紙が通過する切欠部４１と、定着後の用紙を搬送するための用紙搬送部４２が一体に形成されている。」（第５頁第行〜第６頁第２行）、が図面と共に記載されている。
３．対比・判断
　本願発明と引用例１に記載されたものと対比すると、
　引用例１の「上下１対の板状のガイドを備える入口側案内手段」、「紙葉体」、「定着ローラーと加圧ローラー」、「トナー像」、「排紙ガイドを備える排紙側案内手段」、「排紙部等」、「電子写真装置、あるいは静電式記録装置」、「定着装置」は、各々本願発明の「上下１対のガイド板を備える入口側案内部」、「像担持体」、「１対のローラ」、「像」、「下ガイド板を備える出口側案内部」、「排紙部」、「静電複写プロセスを用いる画像形成装置」、「定着装置」に相当することは明らかであるから
　両者は、表現は相違するが、
「上下１対のガイド板を備える入口側案内部を介して像担持体を１対のローラ間に導き、このローラ対にて加圧と加熱の手段を用いて像担持体の像を定着し、ついで下ガイド板を備える出口側案内部を介して上記ローラ対から像担持体を排紙部へ導くようにした、静電複写プロセスを用いる画像形成装置の定着装置において、出口側案内部の下ガイド板を樹脂材で１体成形した定着装置」の点で一致しており、以下の点で相違している。
（相違点）
　本願発明は、出口側案内部が上下１対のガイド板を備え、出口側案内部の上下ガイド板を樹脂材で１体成形した構成であるのに対し、
　引用例１には、出口側案内部に樹脂材で１体成形した下ガイド板を備える構成は記載されているが、上ガイド板を備える構成は記載されておらず、従って、出口側案内部の上下ガイド板を樹脂材で１体成形した構成が記載されていない。 
  そこで、上記相違点について検討するに、
　引用例２には、上部及び下部ローラ用の剥離爪がユニットホルダーに支持され、ユニットホルダーには定着後の用紙が通過する切欠部と定着後の用紙を搬送するための用紙搬送部が一体に形成されている旨の事項が図面と共に記載されており、上部及び下部ローラ用の剥離爪は、各々用紙の上面側及び下面側に作用し、剥離された用紙は切欠部の上縁と下縁の間を通過し、用紙の下面側が用紙搬送部で案内される構成として理解されるから、
　引用例２には、１対のローラで定着された後の用紙に作用する用紙出口側の構成として、用紙の上面側及び下面側に作用する部材を一体に形成する定着装置の技術が開示されていると認められる。
　そして、静電式記録装置等の定着装置において、出口側案内部に上下１対のガイド板を設けることは、上記したように一般的な技術であり、
　加えて、記録紙に付したトナーを一対のローラ間で定着させる定着装置において、定着装置の出口側案内部の上下ガイド板を樹脂材で１体成形することは周知技術（例えば、実願昭５７−１２７８６０号（実開昭５９−３３０５２号）のマイクロフィルムを参照。）であるから、
　引用例２を引用例１に適用して、用紙出口側の構成を用紙の上面側及び下面側に作用する一体の部材とし、その部材が樹脂材で一体成形した上下ガイド板を備える構成とすること、即ち、引用例１の樹脂材で１体成形した下ガイド板を備える出口側案内部に上ガイド板を付加し、上記相違点の構成を想到することに何等困難性は認められない。
　また、本願発明の奏する作用効果として、引用例１，２及び上記一般的な技術や周知技術から予測される以上のものは認められない。
（結び）
  したがって、本願発明は引用例１，２及び上記一般的な技術や周知技術に基づいて当業者が容易に発明をすることができたものと認められるから、特許法第２９条第２項の規定により特許を受けることができない。
　よって、結論のとおり審決する。